(57)【要約】【課題】  部品点数を増大させることなく、照明ムラを抑制して、各種ランプの配置等、文字板のデザインの自由度を向上させることが出来るメータ照明構造を提供する。【解決手段】  文字板１０の裏面側に設けられたＬＥＤ５の照明光を、文字板１０の裏面側に配設された反射室１３の内側面に反射させて、文字板１０を裏面側から照明する反射部材１２を有するメータ照明構造である。  反射室１３の内側面の側壁を構成する外周壁部１３ｄの一部には、反射部材１２の反射室１３に凸設された凸状変形部８の形状によって、ＬＥＤ５の照明光が、直接到達しにくい部分に向けて、ＬＥＤ５の照明光を反射させる照明反射凹状壁面部１５が、形成されている。【選択図】  図１
2005257295.tif 000002
【特許請求の範囲】
【請求項１】
文字板の裏面側に設けられた光源の照明光を、該文字板の裏面側に配設された反射室の内側面に反射させて、該文字板を裏面側から照明する反射部材を有するメータ照明構造であって、
前記反射室の内側面の側壁の一部には、前記反射部材の反射室の形状によって、前記光源の照明光が、直接到達しにくい部分に向けて、前記光源の照明光を反射させる照明反射凹状壁面部が、形成されていることを特徴とするメータ照明構造。
【発明の詳細な説明】
【技術分野】
【０００１】
本発明は、車両用のメータ照明構造に関し、特に、文字板の明度ムラを低減させることが出来るメータ照明構造に関するものである。
【背景技術】
【０００２】
従来のメータ照明構造として、図２及び図３に示すようなものが知られている（例えば、特許文献１等参照）。
【０００３】
まず、構成から説明するとこのような従来のメータ照明構造では、計器としての車両用メータ１のハウジング２内には、反射部材４が設けられている。
【０００４】
この反射部材４は、主に、光源としてのＬＥＤ５を挿通する光源孔４ａを有する底面部４ｂの周囲に設けられる左，右内側壁部４ｃ，４ｃと、文字板３の外側縁３ａに沿って、円弧状に形成される外周壁部４ｄとによって、外周縁が囲まれている。
【０００５】
そして、これらの左，右内側壁部４ｃ，４ｃの下端と、前記外周壁部４ｄの左，右両下端とは、なだらかな曲線部４ｅ，４ｅによって、連結されている。
【０００６】
また、前記文字板３の裏面側には、拡散板６が設けられていて、前記外周壁部４ｄの上端縁４ｆよりも一段高く形成された前記左，右内側壁部４ｃ，４ｃの上端縁４ｇ，４ｇを裏面側から当接させるように構成されている。
【０００７】
次に、この従来のメータ照明構造の作用について説明する。
【０００８】
このように構成された図２に示す従来のメータ照明構造では、前記ＬＥＤ５…を点灯すると、前記反射部材４の底面部４ｂ及び外周壁部４ｄ等によって構成される反射室の内側面に、このＬＥＤ５…の照明光が反射されて、前記文字板３の裏面側に到達する。
【０００９】
そして、前記文字板３の裏面側に設けられた拡散板６によって、前記ＬＥＤ５…の照明光が、拡散された後、これらの照明光は、前記文字板３内を一部透過して、表面側にバックライト照明として視認される。
【特許文献１】特許３３０２６０５号公報（第１図，００１１段落乃至００２４段落）
【発明の開示】
【発明が解決しようとする課題】
【００１０】
しかしながら、このようなメータ照明構造では、図３に示すように、左側内側壁部４ｃの一部に、ウオーニングランプ７を格納するための凸状変形部８が形成されると、この部分では、前記外周壁部４ｄの内側面との間隔が狭くなってしまう。
【００１１】
このため、この凸状変形部８の内側面と、外周壁部４ｄの内側面との間に、ＬＥＤ５を更に追加することは困難であった。
【００１２】
また、この凸状変形部８の上下に位置する前記各ＬＥＤ５，５からは、この凸状変形部８に対向する外周壁部４ｄの内側面近傍が、離間していると共に、他の部分のように、内側壁部４ｃ，４ｃの反射による照度の向上も余り期待出来ない。
【００１３】
従って、この凸状変形部８に対向する外周壁部４ｄの内側面近傍に、暗部９が生じる虞があった。
【００１４】
このため、前記文字板３の裏面側に設けられる前記拡散板６によって、文字板３の表面に、照明ムラが生じないように調光する必要が生じる。しかしながら、このような前記拡散板６による調光で、照明照度を均一にしようとすると、最も暗い、例えば、前記暗部９の照度に合わせる必要が生じ、全体のバックライト照明の照度を向上させることが、困難であるといった問題もあった。
【００１５】
そこで、本発明は、部品点数を増大させることなく、照明ムラを抑制して、各種ランプの配置等、文字板のデザインの自由度を向上させることが出来るメータ照明構造を提供することを目的としている。
【課題を解決するための手段】
【００１６】
前記目的を達成するために、請求項１の発明は、文字板の裏面側に設けられた光源の照明光を、該文字板の裏面側に配設された反射室の内側面に反射させて、該文字板を裏面側から照明する反射部材を有するメータ照明構造であって、前記反射室の内側面の側壁の一部には、前記反射部材の反射室の形状によって、前記光源の照明光が、直接到達しにくい部分に向けて、前記光源の照明光を反射させる照明反射凹状壁面部が、形成されているメータ照明構造を特徴としている。
【発明の効果】
【００１７】
このように構成された請求項１のものは、前記光源の照明光が、前記反射室の内側面の側壁の一部に形成された前記照明反射凹状壁面部によって反射されて、前記光源の照明光が、直接到達しにくい部分を照光する。
【００１８】
このため、前記文字板の表面側では、照明ムラが抑制される。
【００１９】
前記照明反射凹状壁面部は、前記反射室の内側面の側壁の一部を用いて形成されている。  従って、別途反射部材を追加して、装着する必要も無いと共に、前記拡散板等、照明ムラを調光する調光部材が、不要又は簡略化出来る。
【００２０】
よって、部品点数を増大させることなく、照明ムラを抑制して、各種ランプの配置等、文字板のデザインの自由度を向上させることが出来る。
【発明を実施するための最良の形態】
【００２１】
以下、本発明の最良の実施の形態について図面を参照して説明する。
【００２２】
なお、前記従来例と同一乃至均等な部分については、同一符号を付して説明する。
【００２３】
図１は、本実施の形態によるメータ照明構造を示している。
【００２４】
まず、構成から説明すると、このような本実施の形態のメータ照明構造では、計器としての車両用メータ１０１では、文字板１０の表面には、目盛り部１１が、印刷等によって設けられている。
【００２５】
この目盛り部１１の０点近傍の始点１１ａよりも、下方位置には、ウオーニングランプ表示部１１ｂが形成されている。
【００２６】
また、この実施の形態の文字板１０の裏面側には、従来のような拡散板が設けられていない。
【００２７】
更に、このメータ照明構造では、前記文字板１０の裏面側に、反射室１３を有する反射部材１２が設けられている。
【００２８】
この反射室１３には、主に、光源としてのＬＥＤ５を所定間隔をおいて固定する底面部１３ｂの周囲に設けられる左，右内側壁部１３ｃ，１３ｃと、前記文字板１０の外側縁１０ａに沿って、円弧状に形成される外周壁部１３ｄとによって、外周縁が囲まれて構成されている。
【００２９】
そして、前記ＬＥＤ５…の照明光が、この文字板１０の裏面側に配設された反射部材１２の反射室１３の内側面に反射されて、この文字板１０が、裏面側から照明されるように構成されている。
【００３０】
更に、前記反射室１３の左，右内側壁部１３ｃ，１３ｃが対向する内側面のうち、前記左内側壁部１３ｃの一部で、前記文字板１０のウオーニングランプ表示部１１ｂに対応する位置には、前記反射室１３内に向けて、凸設形成される凸状変形部８が、一体に連設されて形成されている。
【００３１】
この凸状変形部８の前記対向面側に位置する凹部８ａ内には、前記ウオーニングランプ表示部１１ｂの光源であるＬＥＤ１４が、円形のシェード部７ａによって周囲を囲まれて、装着されていて、点灯により、前記ウオーニングランプ表示部１１ｂを裏面側から照明するように構成されている。
【００３２】
そして、前記反射室１３の外周壁部１３ｄには、前記反射部材１２の反射室１３の凸状変形部８の形状によって、前記ＬＥＤ５…の照明光が、直接到達しにくい部分に向けて、前記凸状変形部８の下側のＬＥＤ５の照明光を反射させる照明反射凹状壁面部１５が、この外周壁部１３ｄと一体となるように連設されて形成されている。
【００３３】
この照明反射凹状壁面部１５には、略平坦状で、一定の幅ｗを有することにより、前記凸状変形部８の下側のＬＥＤ５の照明光を、前記凸状変形部８に対向する外周壁部１３ｄの内側面近傍に向けて反射する傾斜角度θを有する内側反射面１５ａが設けられている。
【００３４】
次に、この実施の形態のメータ照明構造の作用について説明する。
【００３５】
この実施の形態のメータ照明構造では、前記反射部材１２の反射室１３内に設けられたＬＥＤ５…が点灯されると、ＬＥＤ５…の照明光が、この文字板１０の裏面側に配設された反射部材１２の反射室１３の内側面に反射されて、この文字板１０が、裏面側から照明される。
【００３６】
この際、図１中矢印に示すように、前記ＬＥＤ５の照明光が、前記反射室１３の内側面の外周壁部１３ｄの一部に形成された前記照明反射凹状壁面部１５の内側反射面１５ａによって反射されて、前記各ＬＥＤ５…の照明光によって、直接到達しにくい部分である従来の図３中に示される暗部９が照光される。
【００３７】
このため、前記文字板１０の表面側では、照明ムラが抑制される。
【００３８】
また、前記照明反射凹状壁面部１５は、前記反射室１３の内側面を構成する外周壁部１３ｄの側壁の一部を用いて、一体となるように連設形成されている。
【００３９】
従って、別途反射部材等を追加して、装着する必要が無いと共に、前記拡散板等、照明ムラを調光する調光部材が、不要又は簡略化出来る。
【００４０】
よって、部品点数を増大させることなく、照明ムラが抑制されて、ウオーニングランプ表示部１１ｂの各種ランプの配置位置等、文字板１０のデザインの自由度を向上させることが出来る。
【００４１】
以上、図面を参照して、本発明の最良の実施の形態を詳述してきたが、具体的な構成は、この実施の形態に限らず、本発明の要旨を逸脱しない程度の設計的変更は、本発明に含まれる。
【００４２】
例えば、前記実施の形態では、この実施の形態の文字板１０の裏面側には、従来のような拡散板が設けられていないが、特にこれに限らず、簡易な構成の拡散板を設けてもよい。この場合も、前記照明反射凹状壁面部１５の内側反射面１５ａによって、ＬＥＤ５の照明光が、直接到達しにくい部分に到達して、照明ムラが緩和されているので、従来の拡散板に比して、構造を簡略化出来る。
【００４３】
また、ＬＥＤ５，５を、前記凸状変形部８の上下に一対に設けるように構成したが、特にこれに限らず、複数のＬＥＤ５，５を、前記凸状変形部８の周囲に配置する等、左，右内側壁部１３ｃ，１３ｃ又は、前記外周壁部１３ｄの内側面に反射した照明光と共に、前記照明反射凹状壁面部１５によって、更に照度を増大させて、前記光源の照明光が、直接到達しにくい暗部を照光する配置であるならば、光源としてＬＥＤ５以外の例えば、バルブ等であっても良く、光源の形状、数量、及び発光性質が、特に限定されるものではない。
【００４４】
更に、この実施の形態では、前記凸状変形部８の下側のＬＥＤ５の照明光を反射させる照明反射凹状壁面部１５が、前記外周壁部１３ｄと一体となるように連設されて形成されているが、特にこれに限らず、例えば、前記凸状変形部８の上側のＬＥＤ５の照明光を反射させる照明反射凹状壁面部１５を、前記外周壁部１３ｄと一体となるように連設させて形成してもよく、前記光源の照明光が、直接到達しにくい部分に向けて、前記光源の照明光を反射させる照明反射凹状壁面部であれば、形状、数量、及び反射特性が、特に限定されるものではない。
【図面の簡単な説明】
【００４５】
【図１】本発明の最良の実施の形態のメータ照明構造を示し、全体の構成を説明するメータの文字板の正面図である。
【図２】従来例のメータ照明構造を示し、全体の構成を説明する分解斜視図である。
【図３】従来例のメータ照明構造で、全体の構成を説明するメータの文字板の正面図である。
【符号の説明】
【００４６】
１０１                          車両用メータ（計器）
５                              ＬＥＤ（光源）
８                              凸状変形部
１０                            文字板
１２                            反射部材
１３                            反射室
１３ｄ                          外周壁部（側壁）
１５                            照明反射凹状壁面部
【図１】
2005257295.tif 000003
【図２】
2005257295.tif 000004
【図３】
2005257295.tif 000005